(57)【特許請求の範囲】
【請求項１】
少なくとも１つの物（２００）ないし宝石片又は計時器を包装するための折り曲げ箱（１００）又はケースであって、
この折り曲げ箱（１００）は、長手方向（Ｌ）及び横断方向（Ｔ）によって定められる基礎平面（Ｐ）内に平坦にしまうことができ、
この折り曲げ箱（１００）は、自身どうしで閉じる第１のバンドによって形成された折り曲げ可能な内側容器（１）を有し、
平坦な位置と構成済み位置の間で折り曲げることができない第１の変形可能な角柱を形成し、
この構成済み位置では、前記第１の変形可能な角柱は、前記横断方向（Ｔ）に平行な方向における２つの反対側の端で開いており、
前記内側容器（１）は、前記横断方向（Ｔ）に延在する第２のバンド（２）に固定されている取り扱い面（１０）を有し、
前記第２のバンド（２）は、前記内側容器（１）から離れているメイン基礎（３０）上で、前記長手方向（Ｌ）に延在する第３のバンドによって形成された外側封筒（３）に固定されており、
前記第３のバンドは、前記基礎平面（Ｐ）における平坦な保管位置と折り曲げられた位置との間で変形可能であり、
この折り曲げられた位置では、前記第３のバンドは、自身どうしで閉じており、前記内側容器（１）を包囲するように構成し、
前記内側容器（１）は、当該内側容器（１）が構成済み位置及び折り曲げられた位置であって前記メイン基礎（３０）の上側面（３０Ｓ）に支えられている場合に、前記取り扱い面（１０）と前記メイン基礎（３０）の間の前記第２のバンド（２）に備えられた折り目（２０）に沿って折り曲げ可能であり、
これによって、前記内側容器（１）の外側の開口の１つは、前記メイン基礎（３０）によって閉じられ、
前記メイン基礎（３０）の前記上側面（３０Ｓ）は、少なくとも１つの突き出ている形づくり要素（２８、２９）を有し、
この形づくり要素（２８、２９）は、前記内側容器（１）が前記メイン基礎（３０）上に折り曲げられた位置にある場合に、前記メイン基礎（３０）上の前記第１の角柱が単一の特定の構成済み位置に前記内側容器（１）を保持するように構成し、
前記第２のバンド（２）は、前記取り扱い面（１０）又は前記メイン基礎（３０）に隣接する第４のバンド（４）によって前記横断方向（Ｔ）に延在し、この第４のバンド（４）は、前記横断方向（Ｔ）に延在し、
前記基礎平面（Ｐ）における平坦な保管位置と巻かれ又は折り曲げられた位置との間で変形可能であり、
この巻かれ又は折り曲げられた位置では、前記内側容器（１）が単一の特定の構成済み位置にある場合に、前記第４のバンド（４）が、前記内側容器（１）内で巻かれ又は折り曲げられ、
さらに、前記内側容器（１）は、前記角柱の少なくとも１つの内側面上で、前記第４のバンド（４）に対する少なくとも１つの当接表面を形成するように構成する支持手段（８）を有する
ことを特徴とする折り曲げ箱（１００）。
【請求項２】
前記支持手段（８）は、前記内側容器（１）の内側面上に少なくとも１つのＵ字形又はＬ字形の支持体（４３、４４）を有し、
前記第４のバンド（４）は、バンド部分どうしの境界を定める一連の平行な折り目を有し、
これらのそれぞれは、前記Ｕ字形又はＬ字形の支持体に対応する区画に当接するように構成する調整された長さを有し、
前記平行な折り目は、前記Ｕ字形又はＬ字形の支持体の縁に対応する
ことを特徴とする請求項１に記載の折り曲げ箱（１００）。
【請求項３】
前記第４のバンド（４）は、前記取り付け領域から前記取り扱い面（１０）又は前記メイン基礎（３０）への最も遠い遠位端において、
自身どうしで閉じる第５のバンド（５）を有し、
平坦な位置と構成済み位置の間で折り曲げられない第５の変形可能な角柱を形成し、
この構成済み位置では、前記第５の変形可能な角柱は、前記長手方向（Ｌ）に平行な方向における両方の反対の端において開いており、
前記第５の角柱は、前記少なくとも１つの支持体（４３、４４）の支持表面（４６）と、及び前記内側容器（１）の前記第１の角柱の内側面と、前記構成済み位置において当接して連係するように構成する
ことを特徴とする請求項２に記載の折り曲げ箱（１００）。
【請求項４】
前記第５の変形可能な角柱は、前記少なくとも１つの支持体（４３、４４）上及び内側容器（１）の前記角柱の前記内側面上に支持されるようにマウントされた構成済み位置において、
前記第１の角柱の前記単一の特定の構成済み位置における前記内側容器（１）のための剛化構造を形成し、
前記内側容器（１）のいずれの変形をも防ぐ
ことを特徴とする請求項３に記載の折り曲げ箱（１００）。
【請求項５】
前記支持手段（８）は、前記内側容器（１）の２つの反対側の内側面上に２つの対称的な支持体（４３、４４）を有する
ことを特徴とする請求項２〜４のいずれかに記載の折り曲げ箱（１００）。
【請求項６】
前記第４のバンド（４）は、前記少なくとも１つの支持体（４３、４４）上及び前記内側容器（１）の前記第１の角柱の前記内側面上に当接するような、Ｕ字形の輪郭を備えた連続面を形成するように構成し、
この連続面は、前記Ｕ字形の輪郭の基礎を形成する表面に実質的に平行に延在する２つのウィングによって前記Ｕ字形の両面上に延在し、
この基礎を形成する表面は、前記メイン基礎（３０）と平行であり、
前記連続面は、前記物（２００）を受ける容器を形成する
ことを特徴とする請求項２〜５のいずれかに記載の折り曲げ箱（１００）。
【請求項７】
当該折り曲げ箱（１００）は、第１の平坦な位置と少なくとも１つの変形されたループ形状の位置との間で変形可能な双安定の形状記憶バンド（５０）によって形成された取り除くことが可能な部品を有し、
この取り除くことが可能な部品は、２つの側面（５１、５２）を有し、これは、Ｕ字形の輪郭を有する前記連続面の２つの平行な表面に嵌まるように連係し、この２つの平行な表面は、前記Ｕ字形の平行な分岐に対応し、前記ループ形の寸法構成は、前記ループ形の周りの前記物（２００）のアセンブリのために適しているように構成する
ことを特徴とする請求項６に記載の折り曲げ箱（１００）。
【請求項８】
前記第１の角柱は、直方体の骨組を形成し、この直方体の基礎は、前記メイン基礎（３０）によって形成されており、そのカバーは、前記外側封筒（３）に備えられたフラップ（３７）によって形成されている
ことを特徴とする請求項１〜７のいずれかに記載の折り曲げ箱（１００）。
【請求項９】
前記外側封筒（３）は、前記長手方向（Ｌ）における両端において、前記外封筒（３）が前記第１の角柱の前記単一の特定の構成済み位置にある場合に、お互いが重なり合うように動くように構成する２つの閉じフラップ（３３、３９）を有し、
この閉じフラップ（３３、３９）は、お互いに相補的なロック手段（４０、４２）を有し、
これによって、前記外側封筒（３）を形成する前記包装バンドが前記内側容器（１）の周りで巻かれる位置に保持されることが確実になる
ことを特徴とする請求項１〜８のいずれかに記載の折り曲げ箱（１００）。
【請求項１０】
前記お互いに相補的なロック手段（４０、４２）は、前記閉じフラップ（３３、３９）を形成する材料の厚みによってお互いどうし保持され、
一方では、ほぞ穴タイプのメンバー（４２）又はカットアウト部分を有し、
他方では、前記ほぞ穴（４２）の輪郭と相補的な輪郭を有するほぞタイプのメンバー（４０）を有する
ことを特徴とする請求項９に記載の折り曲げ箱（１００）。
【請求項１１】
前記お互いに相補的なロック手段（４０、４２）は、相補的な極片（６６）と引力がはたらくように構成する少なくとも１つの極片を有し、前記極片及び相補的な極片の少なくとも１つが磁石によって形成される
ことを特徴とする請求項９に記載の折り曲げ箱（１００）。
【請求項１２】
前記内側容器（１）及びそれに固定された部品は、厚紙で作られており、
前記折り目は波形加工がされている
ことを特徴とする請求項１〜１１のいずれかに記載の折り曲げ箱（１００）。
【発明の詳細な説明】
【技術分野】
【０００１】
本発明は、少なくとも１つの物ないし宝石片又は計時器を包装するための折り曲げ箱又はケースに関し、この折り曲げ箱は、長手方向及び横断方向によって定められる基礎平面内に平坦にしまうことができ、この折り曲げ箱は、自身どうしで閉じる第１のバンドによって形成された折り曲げ可能な内側容器を有し、平坦な位置と構成済み位置の間で折り曲げることができない第１の変形可能な角柱を形成し、この構成済み位置では、前記第１の変形可能な角柱は、前記横断方向に平行な方向における２つの反対側の端で開いており、前記内側容器は、前記横断方向に延在する第２のバンドに固定されている取り扱い面を有し、前記第２のバンドは、前記内側容器から離れているメイン基礎上で、前記長手方向に延在する第３のバンドによって形成された外側封筒に固定されており、前記第３のバンドは、前記基礎平面における平坦な保管位置と折り曲げられた位置との間で変形可能であり、この折り曲げられた位置では、前記第３のバンドは、自身どうしで閉じており、前記内側容器を包囲するように構成し、前記内側容器は、当該内側容器が構成済み位置及び折り曲げられた位置であって前記メイン基礎の上側面に支えられている場合に、前記取り扱い面と前記メイン基礎の間の前記第２のバンドに備えられた折り目に沿って折り曲げ可能であり、これによって、前記内側容器の外側の開口の１つは、前記基礎によって閉じられる。
【０００２】
本発明は、物を包装する分野に関し、より詳細には、計時器又は宝石片の輸送又は保管のための箱又は包装の分野に関する。
【背景技術】
【０００３】
物の包装、特に、宝石片又は計時器の包装のためには、物を適切に保護することが必要である。
【０００４】
この目的のために、通常、詰め物が用いられるが、詰め物は、一般的に、多目的ではなかったり、物を適切に保護しなかったりする。
【０００５】
ケース又は箱の壁から物を離して、箱が受けるあらゆる衝撃や応力から物を保護することが好ましい。
【０００６】
実質的に円環（トロイド）状の宝石片又は計時器である特定の場合においては、クッションを使用して物を上に載せることが知られている。しかし、クッションそれ自身を定位置に保持しなければならない。これは、空洞の中に嵌めたり、クッションの両側に詰め物を配置したりすることによって行われる。
【０００７】
優れた包装は、いくつかの構成要素を有し比較的複雑となって、保護する物のコストに対して高コストであることがある。
【０００８】
このように、計時器又は宝石片の最適な保護を行う包装を適度な製造コストで作ることが、計時器／宝石の製造業者にとっての恒久的な関心事である。これは、特に、物の寿命を通してケース又は箱が保有されるからである。したがって、伝統的なプレゼンテーションの形態を守りつつ、中の物にふさわしい単純な洗練された包装を提案する必要がある。
【０００９】
二重包装は、保護の課題に対して良好な解決策を提供する。これにおいて、物が第１の箱の中に入っており、次に、この第１の箱は、第２の箱の内に閉じ込められている。この物は適切に保護されるが、二重包装は高コストであり、しかも、ユーザーは物にすぐアクセスすることができなくなる。
【００１０】
また、ヒンジ付けされたカバーを有するケースもとても高コストとなる手法である。
【００１１】
厚紙タイプの包装も存在する。これは、十分に厚い材料を選択することによって保護の要求に応じている。厚紙包装は、手ごろな価格であって、どのような装飾をも収容することができるという利点も有する。予め組み立てられた厚紙の箱は、保管スペースを多く占めることになる。折り曲げ可能な厚紙包装の利点は、格納が平坦であるということであり、これによって、スペースを節約することができ、また、予め組み立てられた厚紙包装よりも低コストである。これは、組み立ての労働が必要ではないからである。しかし、フラップ又はタブが使用されない限り、包装を構成済み位置に維持することはしばしば困難である。このフラップ又はタブは、魅力的ではなく、所定回数の操作の後には時間の経過に伴って劣化してしまう。あるいは、折り曲げと折り曲げ解除の運動が必要とする折り目又は二重壁などを収容するために利用可能な内部体積を減少させずに、包装を構成済み位置に維持することはしばしば困難である。
【００１２】
ＥＤＩＴＨ  ＨＥＲＭＡＮ名義のフランス特許出願ＦＲ２６７８５８３は、正方形の基礎の周りで折り曲げるシステムを有する１つの空き空間で形成されたディスプレーケース包装を記載している。しかし、この単純なケースは、内部体積の一部を占めるガセット（gusset）を有する。
【００１３】
ＫＲＡＦＦＴ  ＧＯＥＢＥＬ名義の欧州特許出願ＥＰ１２２８９７１は、耐衝撃性のケースを提示しており、これにおいて、保護される製品は、特定の弾性を有するＺ字形のウィングフラップによって保持されている。
【００１４】
ＨＲＩＣＯＶＩＮＩ  ＥＶＡ名義の欧州特許ＥＰ０４８９６０６Ｂ１は、部分的に開いた四面体によって閉じられた厚紙箱の系統のものを記載しており、これは、内容物を入れるために、開口の上で下方に折り曲げられている。
【００１５】
ＲＩＣＨＥＺ  ＮＩＣＯＬＥ名義のフランス特許出願ＦＲ２６６５８８１Ａ１は、２つの独立部品の形態となっている折り曲げディスプレーケースと連係する折り曲げ包装を記載しており、これは、宝石箱又はケースの通常の構成である。ＭＡＤＷＥＤ  ＭＡＲＫ名義の米国特許出願ＵＳ５８７３４５７Ａは、箱を形成するヒンジ付きカバーを有するケースにおいて２つの反対側の開口に挿入された十字形のメンバーの周りで、腕時計のような円環状の物を保持することを開示しており、この十字形のメンバーは、引き出しのように動作して必要に応じて腕時計を箱に固定したり箱から外したりする。
【００１６】
ＪＡＣＫ  ＨＥＲＺＯＧ名義の米国特許ＵＳ２００６０１９１８０１は、同様の手法で、腕時計を受けるための中空の部屋を有するヒンジ付けされたカバーを有するケースを開示しており、これにおいて、貫通用弾性ピンによって腕時計がケースに固定されていても固定されていなくてもよい。
【００１７】
既知の折り曲げ可能な箱はすべて、自身に対して畳まれるという同じ傾向を有し、直角でない基礎や緩衝部材なしでは直角の幾何学的構成を維持することができない。
【００１８】
まとめると、平坦にしまうことができ、計時器などを有効な保護することができ、突き出る要素や脆弱な要素がなく、上品で魅力的な外観を有するような、低コストの箱はほとんど存在しない。
【００１９】
ＴＩＳＳＯＴ  ＳＡ名義の欧州特許出願ＥＰ２６０２２０５は、折り曲げ可能な平坦にしまうことが可能な箱を提案しており、これは、構成済みにされる箱の構築のためにお互いに折り曲げることができる２つの予め組み立てられた角柱構造を有し、これらの角柱構造は、固有の支柱及び／又は動くことができるクロスメンバーによって、定位置に堅く保持される。
【発明の概要】
【発明が解決しようとする課題】
【００２０】
本発明は、既知の技術の課題を克服することを提案するものであり、可能な限り少ない数の構成要素しかないようなより経済的な包装で品質を維持することを確実にする。より詳細には、本発明は、実質的に円環状の貴重な物を保持するために考えられ、非常に用途が広く、組み立てることが簡単であって、すべての種類の物に対する高品質な包装に適している。
【課題を解決するための手段】
【００２１】
このように、本発明は、少なくとも１つの物ないし宝石片又は計時器を包装するための折り曲げ箱又はケースに関し、この折り曲げ箱は、長手方向及び横断方向によって定められる基礎平面内に平坦にしまうことができ、この折り曲げ箱は、自身どうしで閉じる第１のバンドによって形成された折り曲げ可能な内側容器を有し、平坦な位置と構成済み位置の間で折り曲げることができない第１の変形可能な角柱を形成し、この構成済み位置では、前記第１の変形可能な角柱は、前記横断方向に平行な方向における２つの反対側の端で開いており、前記内側容器は、前記横断方向に延在する第２のバンドに固定されている取り扱い面を有し、前記第２のバンドは、前記内側容器から離れているメイン基礎上で、前記長手方向に延在する第３のバンドによって形成された外側封筒に固定されており、前記第３のバンドは、前記基礎平面における平坦な保管位置と折り曲げられた位置との間で変形可能であり、この折り曲げられた位置では、前記第３のバンドは、自身どうしで閉じており、前記内側容器を包囲するように構成し、前記内側容器は、当該内側容器が構成済み位置及び折り曲げられた位置であって前記メイン基礎の上側面に支えられている場合に、前記取り扱い面と前記メイン基礎の間の前記第２のバンドに備えられた折り目に沿って折り曲げ可能であり、これによって、前記内側容器の外側の開口の１つは、前記メイン基礎によって閉じられ、前記メイン基礎の前記上側面は、少なくとも１つの突き出ている形づくり要素を有し、この形づくり要素は、前記内側容器が前記メイン基礎上に折り曲げられた位置にある場合に、前記メイン基礎上の前記第１の角柱が単一の特定の構成済み位置に前記内側容器を保持するように構成する。
【００２２】
本発明の特徴の１つによると、前記第２のバンドは、前記取り扱い面又は前記メイン基礎に隣接する第４のバンドによって前記横断方向に延在し、この第４のバンドは、前記横断方向に延在し、前記基礎平面における平坦な保管位置と巻かれ又は折り曲げられた位置との間で変形可能であり、この巻かれ又は折り曲げられた位置では、前記内側容器が単一の特定の構成済み位置にある場合に、前記第４のバンドが、前記内側容器内で巻かれ又は折り曲げられ、さらに、前記内側容器は、前記角柱の少なくとも１つの内側面上で、前記第４のバンドに対する少なくとも１つの当接表面を形成するように構成する支持手段を有する。
【００２３】
本発明の特徴の１つによると、前記支持手段は、前記内側容器の内側面上に少なくとも１つのＵ字形又はＬ字形の支持体を有し、前記第４のバンドは、バンド部分どうしの境界を定める一連の平行な折り目を有し、これらのそれぞれは、前記Ｕ字形又はＬ字形の支持体に対応する区画に当接するように構成する調整された長さを有し、前記平行な折り目は、前記Ｕ字形又はＬ字形の支持体の縁に対応する。
【００２４】
本発明の特徴の１つによると、前記第４のバンドは、前記取り付け領域から前記取り扱い面又は前記メイン基礎への最も遠い遠位端において、自身どうしで閉じる第５のバンドを有し、平坦な位置と構成済み位置の間で折り曲げられない第５の変形可能な角柱を形成し、この構成済み位置では、前記第５の変形可能な角柱は、前記長手方向に平行な方向における両方の反対の端において開いており、前記第５の角柱は、前記少なくとも１つの支持体の支持表面と、及び前記内側容器の前記第１の角柱の内側面と、前記構成済み位置において当接して連係するように構成する。
【００２５】
本発明の特徴の１つによると、前記第５の変形可能な角柱は、前記少なくとも１つの支持体上及び内側容器の前記角柱の前記内側面上に支持されるようにマウントされた構成済み位置において、前記第１の角柱の前記単一の特定の構成済み位置における前記内側容器のための剛化構造を形成し、前記内側容器のいずれの変形をも防ぐ。
【００２６】
添付図面を参照して下の詳細な説明を読むことによって、本発明の他の特徴及び利点が明らかになるであろう。
【図面の簡単な説明】
【００２７】
【図１】図１Ａ、１Ｂ及び１Ｃはそれぞれ、本発明に係る箱の概略的な平面図を示し、この箱は、お互い重ね合わせられすべてがお互いに固定された複数のバンドを有する。図１Ａは、最も単純なバージョンを示しており、図１Ｂは、改善されたバージョンを示しており、図１Ｃは、改善され強化されたバージョンを示している。
【図２】図１Ｃの箱の概略斜視図を示しており、この箱は、自身どうしで閉じた第１のバンドの形態である内側容器（スイス十字が付されている）を有し、第１の変形可能な角柱を形成しており、これは、ここにおいては、中間構成済み位置、及び基礎の上に折り曲げられた中間位置で示されている。この基礎は、内側容器の側面を支える第２の横断方向のバンドと、内側容器が完全に構成済みにされ折り曲げられた後に内側容器を包むことになる第３の長手方向のバンドとの両方にとって共通の基礎となっている。第２のバンドは、第４のバンドによって延長しており、この第４のバンドは、内側容器に入れられて、物を受けるための受け台を形成するようにされる。これは、中間の構成済み位置において示されている第５の変形可能な角柱を形成する第５のバンドと連係して行われる。ここで、共通の基礎は、内側容器が、自身がメイン基礎上に折り曲げられるような位置にある場合に、メイン基礎への単一の特定の構成済み位置に内側容器を保持するように構成する。これらの突き出る形づくり要素は、内側容器の側面を動けなくする止めを形成する。メイン基礎は、第３の長手方向のバンドと一体化された第２の基礎に固定され、それらの間では、書類挿入などのスペースが設けられている。
【図３】図２の単純化された変種の詳細を示す図であり、ここで、メイン基礎は、第３の長手方向のバンドを直接支えている。
【図４】図３の箱の側面図（左側から）であり、図４Ａは、拡大した詳細図である。
【図５】図２又は３の箱の上面図であり、内側容器が単一の特定の構成済み位置において完全に構成済みにされており、２つの突き出ている形づくり要素によって形づくりされた位置においてメイン基礎上へと折り返されている位置にある。図５Ａは、内側容器、基礎、及び第４のバンドの開始の詳細を示す図である。
【図６】内側容器及び第４及び第５のバンドの両方の中央面に沿った図３の箱の断面図であり、これは、中のＬ字形の支持体上で載っている、折り曲げられ、内側容器の内側でロックされた単位置にあるバンドを示している。図６Ａは、図６と同様な形態で、第４のバンドの折り曲げにより、図１Ｂの構成の箱を有した変種を示しており、Ｕ字形の横方向の支持体に嵌っている。
【図７】図６の箱の詳細な上面図である。
【図８】本発明に係る箱の取り除くことが可能な構成要素を示しており、これは、双安定の形状記憶バンドによって形成されており、図８Ａの側面図、図８Ｂの上面図で示した第１の平坦な位置と、及び図８Ｃの側面図で示した少なくとも１つの変形されたループ状の位置との間で変形可能である。
【図９】図７と同様な形態で、図８Ｃの位置における取り除くことが可能な要素に固定された腕時計を示しており、この取り除くことが可能な要素は、遊びなしで図６及び７に示されている中央のハウジング内に挿入される。
【図１０】Ｅ１からＥ８の８つのステップで本発明に係る箱のアセンブリを示しており、これは、平坦な状態である図８の取り除くことが可能な要素が入っている平坦な封筒から、平坦に取り出し、マウントされ折り曲げられたサービス位置にある箱の最終的な組み立てまでである。
【発明を実施するための形態】
【００２８】
本発明は、特許出願ＣＨ７０５９６３、ＥＰ２６０２２０５Ａ１、及びＷＯ２０１３０８３４２０Ａ１の主題を形成する発明の改良である。
【００２９】
本発明は、物の包装の分野に関し、より詳細には、箱、特に、測時技術又は宝石のための箱の分野に関する。また、物の輸送又は保管のための包装、特に、計時器片又は宝石片のためのものにも関する。
【００３０】
「箱」は、以下において、これらの物の販売、取り扱い又は保管のために意図されたいずれの包装をも意味するものとして使用される。
【００３１】
本発明は、より詳細には、物２００、特に、宝石片又は計時器に関する。これらの物２００は、様々な幾何学的構成を有していてもよく、支持体に固定されていてもよく、閉じた空間の内部にあってもよく、あるいは本発明の特定用途において、「円環（トロイド）」の形、すなわち、可変な幾何学的構成を有する場合には閉じた状態において、リング又はトーラスを形成するようなものであってもよく、支持体の周辺に嵌めることができ、又は支持体の周辺で閉じることができるものであってもよい。より詳細には、本発明は、腕時計、腕輪、又は指輪である物２００に適用することができる（これに限定されない）。これらの物は、以下において、一般的に、「物２００」と呼ぶ。
【００３２】
ここで、折り曲げのための折り目を有し装飾された厚い厚紙の実施形態において、本発明をより正確に説明する（これに限定されない）。この実施形態は、経済的であり、確実であり、かつ、魅力的である。また、本発明は、皮又は合成皮革、薄い木材、被覆された織物、シートメタル又はアルミニウムシートで作られた金属サンドイッチ化合物のような他の材料を用いて作ることもできる。
【００３３】
このように、本発明は、少なくとも１つの物２００又は宝石片又は計時器を包装する折り曲げ箱１００に関する。
【００３４】
この折り曲げ箱１００は、平坦であって、長手方向Ｌ及び横断方向Ｔによって定められる基礎平面Ｐ内にしまうことができる。
【００３５】
箱１００は、折り曲げられる内側容器１を有し、これは、自身どうしで閉じる第１のバンドによって形成されており、平坦な位置と構成済み位置の間で折り曲げることができない第１の変形可能な角柱を形成する。この構成済み位置においては、横断方向Ｔと平行な方向における両端において第１の変形可能な角柱が開いている。
【００３６】
この内側容器１は、取り扱い面１０を有し、これは、横断方向Ｔに延在する第２のバンド２に固定されている。
【００３７】
第２のバンド２は、内側容器１と離れているメイン基礎３０上で、外側封筒３に固定されている。この外側封筒３は、長手方向Ｌに延在する第３のバンドによって形成されている。この第３のバンドは、平面Ｐにおける平坦な保管位置と折り曲げられた位置の間で変形可能であり、この折り曲げられた位置においては、第３のバンドが自身どうしで閉じており、内側容器１を包囲するように構成している。
【００３８】
第２のバンド２は、取り扱い面１０とメイン基礎３０の間に折り目２０（又はヒンジ付けされた表面）を有する。内側容器１は、内側容器１が構成済み位置にあって折り曲げられた位置にある場合に、この折り目２０に沿って折り曲げることができ、メイン基礎３０の上側面３０Ｓの１つに支えられる。これによって、内側容器１の外側開口の１つがメイン基礎３０によって閉じられる。
【００３９】
本発明によると、メイン基礎３０の上側面３０Ｓは、少なくとも１つの突き出ている形づくり要素２８、２９を有し、これは、内側容器１がメイン基礎３０上に折り曲げられた位置にある場合に、メイン基礎３０上の第１の角柱の単一の特定の構成済み位置に内側容器１を保持するように構成する。
【００４０】
図１、１Ａ及び１Ｂはそれぞれ、複数のバンドを有する箱１００の変種を示しており、これらはお互いどうし重ね合わされ、すべてがお互いどうし固定されている。
【００４１】
図１Ａは、最も単純なバージョンの基本図であり、これにおいて、箱は、内側容器１、第２の横断方向のバンド２及び第３の長手方向のバンド３のみを有する。
【００４２】
図１Ｂは、折り曲げ箱１００の改良されたバージョンを示しており、これにおいて、第４のバンド４によって横断方向Ｔに第２のバンド２が延長しており、この第４のバンド４は、図示したバージョンにおいては取り扱い面１０に隣接しており、あるいは図示してない変種においてはメイン基礎３０に隣接している。この図示していない変種において、内側容器１及び第４のバンド４は、基礎３０の両方の側にある。
【００４３】
この第４のバンド４は、横断方向Ｔに延在し、平面Ｐ内の平坦な保管位置と、巻かれている又は折り曲げられている位置との間で変形可能である。この巻かれている又は折り曲げられている位置では、内側容器１が単一の特定の構成済み位置にある場合に、第４のバンド４が内側容器１内で巻かれ又は折り曲げられている。
【００４４】
内側容器１は、好ましいことに、第１の角柱の少なくとも１つの内側面上において、支持手段８を有し、これは、第４のバンド４に対して１つの当接表面を形成するように構成する。
【００４５】
特定の実施形態において（これに限定されない）、この支持手段８は、内側容器１の内側面上に、少なくとも１つのＵ字形  （図６Ａ）又はＬ字形（図６）の支持体４３、４４を有する。好ましくは、支持手段８は、内側容器１の内側面の反対側どうしで対称的な対を形成するように配置されている２つの支持体４３、４４を有する。
【００４６】
第４のバンド４は、バンド部分１０Ａ、１２、１４の境界を定める一連の平行な折り目１１、１３を有し、これらのバンド部分１０Ａ、１２、１４それぞれは、Ｕ字形又はＬ字形の支持体の対応する区画に当接するように調整された長さを有し、平行な折り目は、Ｕ字形又はＬ字形の支持体の縁に対応する。
【００４７】
このように、図６Ａは、Ｕ字形の支持体４４を示しており、これにおいて、内側容器１の取り扱い面１０上の区画９にて第４のバンドが固定され、１つの部分１０Ａが、基礎３０と平行に、支持体４４の１つの面４５に当接し、１つの折り目１１が支持体４４の１つの縁に対向しており、１つの部分１２が、基礎３０と垂直であって折り目１３と同様に離れている支持体４４の１つの面に当接しており、その後に、１つの部分１４が、基礎３０と平行な支持体４４のうちの１つの面４６に当接する。１つの部分１６と１つの部分１６Ａは、対称的な形態で、支持体４４の他の面に当接する。このように、第４のバンド４は、Ｕ字形の輪郭を有する連続面を形成し、これは、メイン基礎３０と平行なＵ字形の輪郭の基礎を形成する表面１４と実質的に平行に延在する２つのウィングによってＵ字の両側に延在している。この連続面は、物２００を受ける容器を形成する。
【００４８】
図１Ｃは、折り曲げ箱１００の改善、強化されたバージョンを示しており、これにおいて、第４のバンド４は、取り扱い面１０（又は上に記載したメイン基礎３０）を取り付け領域から最も遠い遠位端において、自身どうしで閉じている第５のバンド５を有しており、平坦な位置と構成済み位置との間で折り曲げることができない第５の変形可能な角柱を形成しており、この構成済み位置においては、この第５の変形可能な角柱は、長手方向Ｌと平行な方向における２つの反対側の端において開いている。
【００４９】
この第５の角柱は、その構成済み位置において、少なくとも１つの支持体４３、４４の支持表面４６と、及び内側容器１の第１の角柱の内側面と、当接するように連係するように構成する。
【００５０】
このようにして、図６は、Ｌ字形の支持体４３を示しており、これにおいて、第４のバンドが、内側容器１の取り扱い面１０上の区画９で固定されており、１つの部分１０Ａが、基礎３０と平行に、支持体４４の１つの面４５と当接し、１つの折り目１１が支持体４３の１つの縁に面し、１つの部分１２が基礎３０と垂直であって、折り目１３と同様に離れている支持体４３の１つの面に当接し、その後に、１つの部分１４が基礎３０と平行な支持体４３の１つの面４６に当接する。
【００５１】
２重の折り目が形成されたシーム１５が、部分１４を第５の角柱に接続する。１つの部分１６は、部分１２と対称的であり、これは、折り目１７によって基礎３０と平行な部分１８に接続される。この部分１８は、折り目１９によって部分２０に接続される。この部分２０は、内側容器１の１つの面２２の内側面の１つと当接し、また、折り目２１によって最後の部分２２０に接続される。この最後の部分２２０は、表面４６に当接し、折り曲げられたシーム１５と再び合流する。このようにして、第４のバンド４と第５のバンドは、Ｕ字形の輪郭を有する連続面をともに形成する。このＵ字形の輪郭は、メイン基礎３０と平行な当該Ｕ字形の輪郭の基礎を形成する表面１４と実質的に平行に延在する２つのウィングによってＵ字の両側に延在している。この連続面は、物２００を受ける容器を形成する。
【００５２】
第５の変形可能な角柱は、少なくとも１つの支持体４３、４４上で、及び内側容器１の第１の角柱の内側面上で支持されるようにマウントされる構成済み位置において、第１の角柱が単一の特定の構成済み位置にある内側容器１の剛化構造を形成し、内側容器１のいずれの変形をも防ぐ。
【００５３】
また、図２、４、６及び６Ａは、角柱形の突き出ている形づくり要素２８、２９を示しており、これらはそれぞれ、内側容器１の（折り目２４、２５、２６、２７によって互いに接続された）面１０、２１、２２、２３  のうちの３つと連係する（内側容器１が長方形又は正方形の断面を有する場合）。本発明の範囲から逸脱せずに、容器１又は第３のバンド３は、他の角柱の輪郭を有することもできる。
【００５４】
図２において基礎３０によって形成された剛構造の縁７１及び７２、第３のバンドの面、及び基礎３０と面３１を連結するサイドバンドも、動作位置にある折り曲げ箱１００の剛性をさらに大きくする要素を提供する。
【００５５】
図２又は３の特定の変種において、すべての角柱は、長方形、より詳細には、正方形の断面を有する。
【００５６】
好ましいことに、第５のバンド５は、同様な少なくとも１つのノッチ２０Ａを有し、挿入又は折り曲げ解除の動作を容易にしたり、作動させるコード又は細長片などを収容したりする。これは、ユーザーの指又は工具によってつかまれるように構成する。
【００５７】
好ましいことに、折り曲げ箱１００は、取り除くことが可能な部品を有し、これは、図８Ａ及び８Ｂに示す第１の平坦な位置と、図８Ｃに示す少なくとも１つの変形したループ状の位置との間で変形可能な双安定形状記憶バンド５０で形成され、平坦にしまうことが可能である。このループ状の位置では、２つの端４８は中央の部分４９のまわりの接続縁４８において曲げられている。
【００５８】
この双安定のバンド５０は、２つの横方向の面５１、５２を有し、これらは、Ｕ字の平行な枝部分に対応するＵ字形の連続面の２つの平行な面に嵌まるように連係するように構成し、このループの寸法構成は、ループのまわりでの物２００のアセンブリに適するようになっている。双安定のバンドが、同じ全幅を有するが中央の部分４９と端４７に関して様々な形状及び長さを有するようにすることは容易である。これによって、物２００の様々な集合のために最適な包装をすることが可能になる。これは、例えば、男性用／女性用／子ども用の腕時計、腕輪、指輪などである。
【００５９】
図２及び３における折り曲げ箱１００の変種において、第１の角柱は、直方体の骨組で形成されており、その基礎がメイン基礎３０で形成されており、その蓋は、外側封筒３に備えられるフラップ３７で形成されている。
【００６０】
変種の１つにおいて、外側封筒３は、長手方向Ｌにおけるその両端において、２つの閉じフラップ３３及び３９を有し、これらは、外側封筒３が第１の角柱の単一の特定の構成済み位置にある場合に、お互いに重なり合うように構成する。閉じフラップ３３及び３９は、内側容器１の周囲に巻かれた定位置に包装帯３を保持するお互いに相補的であるロック手段４０及び４２を有する。
【００６１】
より詳細には、これらのロック手段４０及び４２は、閉じフラップ３３、３９を形成する材料の厚みによってお互いが保持され、一方では、ほぞ穴タイプメンバー４２又はカットアウト部分を有し、他方では、ほぞ穴メンバー４２の輪郭に対して相補的な輪郭を有するほぞタイプメンバー４０を有する。
【００６２】
図２に示したバージョンにおいて、このフラップ３９は、第３のバンドの一端を形成しており、タブ４０を支える。このタブ４０は、フラップ３３に固定されたカバー４１の下で、第３のバンドの他端を形成するフラップ３３の厚み内で形成される溝４２内に挿入可能である。
【００６３】
この直前の変種と組み合わせることができる変種において、ロック手段４０及び４２は、相補的な極片と引力がはたらくように構成する少なくとも１つの極片を有し、極片及び相補的な極片の少なくとも一方は、磁石によって形成される。
【００６４】
図２の実施形態において、メイン基礎３０は、第３の長手方向のバンドと一体化された第２の基礎３１に固定され、これらの間には、書類などを挿入する空間が設けられている。図３の変種において、基礎３０は、第３のバンドの面３１に直接当接する。基礎３０と面３１は、一体化されていてもよい。
【００６５】
第３のバンドは、一連の面３３、３１、３５、３７、３９を有し、これらはそれぞれ、折り目３２、３４、３６及び３８と互い違いになっている。
【００６６】
好ましいことに、内側容器１及びこれに固定された部品は、厚紙で作られており、これは、折り曲げたり及び／又は丸めたり、波形加工された折り目を有することができる。この実施形態は、非常に強固で、非常に経済的であり、任意の装飾を添付することにも容易に対応することができる。
【００６７】
当然、外側封筒３と内側容器１は、異なる材料で作られていてもよく、これによって、多様性のあるモデルが可能になる。
【図１】
0006031153.tif 000002
【図２】
0006031153.tif 000003
【図３】
0006031153.tif 000004
【図４】
0006031153.tif 000005
【図５】
0006031153.tif 000006
【図６】
0006031153.tif 000007
【図７】
0006031153.tif 000008
【図８】
0006031153.tif 000009
【図９】
0006031153.tif 000010
【図１０】
0006031153.tif 000011